(57)【特許請求の範囲】
【請求項１】
長方形のカバー体、及び弾性支持構造を備えたマスクであって、前記カバー体は、互いに対となる一対の第１のカバー部及び第２のカバー部を有し、前記カバー体は、中心線によって前記第１のカバー部と前記第２のカバー部とに分離可能とされ、前記弾性支持構造は、前記カバー体に結合され、前記第１のカバー部及び前記第２のカバー部の上側端面及び任意に下側端面、並びに、前記第１のカバー部の前記中心線と反対側の端部及び前記第２のカバー部の前記中心線と反対側の端部に沿って設けられ、前記弾性支持構造の弾性作用力により、前記第１のカバー部の前記中心線と反対側の前記端部と前記第２のカバー部の前記中心線と反対側の前記端部とが互いに近づけられることを特徴とする、マスク。
【請求項２】
前記カバー体は、前記中心線の延伸方向で折り畳まれるか展開される折り畳み部を有することを特徴とする請求項１に記載のマスク。
【請求項３】
前記弾性支持構造は、絶縁体又は金属体で構成されることを特徴とする請求項１又は２に記載のマスク。
【請求項４】
前記弾性支持構造は、形状記憶金属体であることを特徴とする請求項１又は２に記載のマスク。
【請求項５】
前記弾性支持構造は、前記第１のカバー部の上側及び前記第２のカバー部の上側の対称位置に形成されることを特徴とする請求項１〜４のいずれかに記載のマスク。
【請求項６】
前記弾性支持構造は、前記カバー体中に挿入されていることを特徴とする請求項１〜５のいずれかに記載のマスク。
【発明の詳細な説明】
【技術分野】
【０００１】
本発明は、マスクに関し、特に、顔部を覆うマスクに関する。
【背景技術】
【０００２】
図１に示すように、従来の耳掛け式マスク１は、マスク１０と、マスク１０の左右両側に設けられた耳掛け紐１１と、から構成されてなる。
【０００３】
しかし、耳掛け紐の伸縮性は、使用者の快適度及びマスクの防護効果に影響を与えやすい上、マスクをつける時間が長すぎるか、使用方式が不正確である場合、耳掛け紐の伸縮性が不適切となり易かった。例えば、耳掛け式マスク１の耳掛け紐１１が緩すぎる場合、使用者の顔部と耳掛け式マスク１との間の密着度が下がって間隙が生じ、この間隙から空気が吸入されてしまい、耳掛け式マスク１の性能が低下してしまうことがあった。反対に、耳掛け紐１１がきつ過ぎる場合、使用者は顔部が締め付けられて不快に感じ、長時間つけると、耳掛け紐１１により加わる圧力により耳が不快に感じることがあった。
【０００４】
そのため、従来の耳掛け式マスクの数々の問題点を改善する技術が求められていた。
【発明の概要】
【発明が解決しようとする課題】
【０００５】
こうした現状に鑑み、本発明者は鋭意研究を重ねた結果、従来技術の問題点を改善し、本発明を完成させたものである。
【課題を解決するための手段】
【０００６】
上記課題を解決するために、本発明の第１の形態によれば、カバー体及び弾性支持構造を備えたマスクであって、前記カバー体は、互いに対となる第１のカバー部及び第２のカバー部を有し、前記弾性支持構造は、前記カバー体に結合され、前記弾性支持構造が発生させる弾性作用力により、前記第１のカバー部と前記第２のカバー部とが互いに近づけられることを特徴とする、マスクが提供される。
【０００７】
前記カバー体は、中心線によって前記第１のカバー部と前記第２のカバー部とに分離されることが好ましい。
【０００８】
前記第１のカバー部の前記中心線と反対側の端部と、前記第２のカバー部の前記中心線と反対側の端部とが互いに近づけられることが好ましい。
【０００９】
前記カバー体は、前記中心線の延伸方向で折り畳まれるか展開される折り畳み部を有することが好ましい。
【００１０】
前記弾性支持構造は、絶縁体又は金属体であることが好ましい。
【００１１】
前記弾性支持構造は、形状記憶金属体であることが好ましい。
【００１２】
前記弾性支持構造は、長尺状体であることが好ましい。
【００１３】
前記弾性支持構造は、前記カバー体の縁部に沿って配置されることが好ましい。
【００１４】
前記弾性支持構造は、前記第１のカバー部及び前記第２のカバー部上の対称位置に形成されることが好ましい。
【００１５】
前記弾性支持構造は、前記カバー体中に挿入されることが好ましい。
【発明の効果】
【００１６】
本発明のマスクは、以下（１）及び（２）の効果を有する。
（１）弾性支持構造をマスクのフレームとして用いて弾性作用力を発生させ、挟持力が顔部に加えられるため、従来技術と比べ、本発明のマスクは、耳掛け紐を耳に掛けずにつけるだけで顔部に確実に挟持されるため、耳掛け紐の伸縮性によりマスクの快適度及び防護効果が下がることを防ぐことができる。
（２）弾性支持構造が形状記憶金属材料を含み、ユーザが顔部の輪郭に基づいて弾性支持構造の形状を調整することにより、カバー体を顔部の表面に確実に貼り付けることができるため、マスクの防護効果が高まり、弾性支持構造が使用状態の形状に維持されるため使い易い。
【図面の簡単な説明】
【００１７】
【図１】従来のマスクの斜視図である。
【図２】本発明の一実施形態に係るマスクを示す斜視図である。
【図２ａ】図２の弾性支持構造を示す斜視図である。
【図２Ａ】本発明に係るマスクの他の態様を示す展開平面図である。
【図２Ａａ】本発明に係るマスクの他の態様を示す展開平面図である。
【図２Ａａａ】本発明に係るマスクの他の態様を示す展開平面図である。
【図２Ｂ】図２のマスクの他の実施例を示す展開平面図である。
【図２Ｂｂ】図２のマスクの他の実施例を示す展開平面図である。
【図３Ａ】本発明の一実施形態に係るマスクの使用過程を示す斜視図である。
【図３Ｂ】本発明の一実施形態に係るマスクの使用過程を示す斜視図である。
【図３Ｃ】本発明の一実施形態に係るマスクの使用過程を示す斜視図である。
【図４】本発明の一実施形態に係るマスクの使用状態を示す説明図である。
【発明を実施するための形態】
【００１８】
以下、本発明の実施形態について図に基づいて説明する。なお、これによって本発明が限定されるものではない。
【００１９】
図２を参照する。図２は、本発明の一実施形態に係るマスク２を示す斜視図である。図２に示すように、上述したマスク２は、カバー体２０及び弾性支持構造２２を含む。
【００２０】
上述したカバー体２０は、シート状を呈し、互いに対となる第１のカバー部２０ａ及び第２のカバー部２０ｂを有する。
【００２１】
本実施形態のカバー体２０はマスク構造であり、多層のシート材料が圧着されて形成されているが、マスク構造の態様は他の種類でもよく、特に限定されるわけではない。
【００２２】
また、カバー体２０は、中心線Ｌ（又は鼻梁を覆う領域）によって、第１のカバー部２０ａと第２のカバー部２０ｂとに分離されるため、第１のカバー部２０ａと第２のカバー部２０ｂとが中心線Ｌに接し、第１のカバー部２０ａのカバー面積と第２のカバー部２０ｂのカバー面積とは略同じである（図２Ａを参照する）。
【００２３】
カバー体２０は、必要に応じて複数の折り畳み部２３を有し（図２Ｂを参照する）、折り畳み部２３は、中心線Ｌの延伸部に対して垂直に形成され、マスク２’を使用する際、折り畳み部２３を中心線Ｌの延伸方向（図２Ｂの矢印方向Ｚ）で折り畳むか展開する（図４を参照する）。
【００２４】
上述した弾性支持構造２２は、カバー体２０に結合され、弾性支持構造２２が発生させる弾性作用力Ｆにより、第１のカバー部２０ａの中心線Ｌの端部Ｌ１と、第２のカバー部２０ｂの中心線Ｌの端部Ｌ２とが互いに近づけられる。図２中の点線で示す弾性支持構造２２は、カバー体２０の内部に収容されていてもよいし、カバー体２０の表面に貼り付けられていてもよい。図２では、カバー部２０の上側端面に沿って弾性支持構造２２が設けられている。また、第１のカバー部２０ａの中心線Ｌの端部Ｌ１及び第２のカバー部２０ｂの中心線Ｌの端部Ｌ２に沿って弾性支持構造２２が設けられている。
【００２５】
本実施形態の弾性支持構造２２は、カバー体２０中に挿入（嵌挿）されてもよい。弾性支持構造２２は、絶縁体又は金属体である。金属体は、金（Ａｕ）、カドミウム（Ｃｄ）、銀（Ａｇ）、銅（Ｃｕ）、亜鉛（Ｚｎ）、アルミニウム（Ａｌ）、錫（Ｓｎ）、ケイ素（Ｓｉ）、ガリウム（Ｇａ）、インジウム（Ｉｎ）、チタン（Ｔｉ）、ニッケル（Ｎｉ）、鉄（Ｆｅ）、白金（Ｐｔ）、鉛（Ｐｂ）、ニオブ（Ｎｂ）、ウラン（Ｕ）、マンガン（Ｍｎ）その他適宜な材料を含む。好適には、金属体は、形状記憶金属材でもよい。例えば、形状記憶合金材料は、金−カドミウム合金、銀−カドミウム合金、銅−亜鉛合金、銅−亜鉛−アルミニウム合金、銅−亜鉛−錫合金、銅−亜鉛−ケイ素合金、銅−錫合金、銅−亜鉛−ガリウム合金、インジウム−チタン合金、金−銅−亜鉛合金、ニッケル−アルミニウム合金、鉄−白金合金、チタン−ニッケル合金、チタン−ニッケル−鉛合金、チタン−ニオブ合金、ウラン−ニオブ合金、鉄−マンガン−ケイ素合金又はその他適宜な材料を含んでもよい。勿論、弾性支持構造２２の種類は多く、これらに限定されるわけではない。
【００２６】
また、弾性支持構造２２は、長尺状体であり、図２aのような連続フレーム又は図２Ａaのような多数の長尺状分離フレーム（例えば、鼻梁及び頬に対応する）でもよい。図２aに示す弾性支持構造２２は、Ｕ字状の金具と、当該Ｕ字状の金具の先端部から下側に延びる縦棒とで構成されている。また、図２Ａaに示される弾性支持構造２２は、３本の線状部材で構成されており、具体的には、カバー体２０の上側端面に１本と、第１のカバー部２０ａの中心線Ｌの端部Ｌ１及び第２のカバー部２０ｂの中心線Ｌの端部Ｌ２に沿ってそれぞれ１本ずつ設けられる。カバー体２０の上側端面に配置される弾性支持構造２２は、カバー体２０の左右の長さの３分の１以上２分の１以下であることが好ましい。例えば、弾性支持構造２２は、カバー体２０の縁部に沿って配置され、弾性支持構造２２が縁部の一部又は全部に位置してもよい。詳細には、弾性支持構造２２は、第１のカバー部２０ａ及び第２のカバー部２０ｂ上の対称位置に形成され、弾性支持構造２２により第１のカバー部２０ａ及び第２のカバー部２０ｂに同じ大きさの弾性作用力Ｆを発生させてもよい。すなわち、弾性支持構造２２は、縁部の一部の対称位置に形成されるか（例えば、図２Ａの下向きのコ字状、馬蹄形状、Ｕ字状又は図２Ａaのその他適宜な形状に形成される）、縁部の全部の対称位置に形成されてもよく（例えば、図２Ａaaのリング状又は図２Ｂbの日の字型）、これらだけに限定されるわけではない。
【００２７】
図３Ａを参照する。図３Ａに示すように、マスク２，２’を実際に使用する場合、弾性作用力Ｆとは反対方向の外力Ｒを加えてカバー体２０を開き、第１のカバー部２０ａの端部Ｌ１と第２のカバー部２０ｂの端部Ｌ２とを分離し（例えば、図３Ｂの分離距離Ｄ）、ユーザ４がターゲット箇所上（例えば図４の顔部、特に、口部及び鼻部）を覆うことができるようにする。マスク２，２’によりターゲット箇所が覆われた後、弾性支持構造２２の弾性作用力Ｆにより第１のカバー部２０ａの端部Ｌ１と第２のカバー部２０ｂの端部Ｌ２とを互いに近づけ、弾性作用力Ｆをターゲット箇所に対する挟持力として用い、マスク２，２’によりターゲット箇所を挟持する（図４を参照する）。
【００２８】
また、弾性支持構造３２は、形状記憶金属体を含み、ユーザ４がターゲット箇所の表面輪郭に基づいて弾性支持構造２２の形状を調整し（例えば、押下、折り曲げ又は他の動作）、弾性支持構造２２の形状を顔部などのターゲット箇所の表面輪郭に合致させ、カバー体２０を顔部などのターゲット箇所の表面に確実に貼り付けることができる。そのため、マスク３がターゲット箇所から離れた後、弾性支持構造３２が形状記憶金属材料を含む場合、その形状が使用状態の形状に維持されるため（図３Ｃに示す）、ユーザ４が繰り返して使用するのに都合がよい。
【００２９】
上述したことから分かるように、本発明のマスク２，２’は、弾性支持構造２２をマスク２，２’のフレームとして用い、弾性作用力Ｆを発生させ、挟持力がターゲット箇所に加えられるため、従来技術と比べ、本発明のマスク２，２’を顔部に応用するとき、使用者が第１のカバー部２０ａ及び第２のカバー部２０ｂを開くだけで、第１のカバー部２０ａ及び第２のカバー部２０ｂが頬に挟持され、マスク２，２’を顔部に固定することができる。本発明のマスク２，２’は、耳掛け紐を耳に掛けずにつけるだけで、顔に確実に挟持させ、耳掛け紐の伸縮性によりマスク２，２’の快適度及び防護効果が下がることを防ぐことができる。
【００３０】
また、弾性支持構造２２は、形状記憶金属材料を含み、ターゲット箇所の表面輪郭に応じて弾性支持構造２２の形状を調整し、ターゲット箇所の表面にカバー体２０を確実に貼り付けることができるため、従来技術と比べ、本発明のマスク２，２’を顔部に応用すると、ユーザは、顔部の輪郭に応じて弾性支持構造２２の形状を調整することにより、カバー体２０が顔部に確実に貼り付けられ、マスク２，２’の防護効果が高まる上、弾性支持構造２２が使用状態の形状に維持されるため、使用し易い。
【００３１】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３２】
１  耳掛け式マスク
２  マスク
２’  マスク
３  マスク
４  ユーザ
１０  マスク
１１  耳掛け紐
２０  カバー体
２０ａ  第１のカバー部
２０ｂ  第２のカバー部
２２  弾性支持構造
２３  折り畳み部
３２  弾性支持構造
Ｄ  分離距離
Ｆ  弾性作用力
Ｌ  中心線
Ｌ１  端部
Ｌ２  端部
Ｒ  外力
Ｚ  矢印方向
【図１】
0006910091.tif 000002
【図２】
0006910091.tif 000003
【図２ａ】
0006910091.tif 000004
【図２Ａ】
0006910091.tif 000005
【図２Ａａ】
0006910091.tif 000006
【図２Ａａａ】
0006910091.tif 000007
【図２Ｂ】
0006910091.tif 000008
【図２Ｂｂ】
0006910091.tif 000009
【図３Ａ】
0006910091.tif 000010
【図３Ｂ】
0006910091.tif 000011
【図３Ｃ】
0006910091.tif 000012
【図４】
0006910091.tif 000013